(57)【特許請求の範囲】
【請求項１】
色フィルタと、
前記色フィルタへと入射する入射光を発光する光源と、
物体の画像を取得する画像取得部と、
前記画像に含まれる前記物体を示すオブジェクトを検出する検出部と、
オブジェクトに対応づけて、当該オブジェクトが示す物体からの光のスペクトルを格納するスペクトル情報格納部と、
前記検出部が検出したオブジェクトに対応づけて前記スペクトル情報格納部が格納しているスペクトルに応じて、前記色フィルタの分光透過率を制御する制御部と
を備え、
前記色フィルタは、
前記入射光の伝搬方向に沿って配列された複数の偏光子と、
前記複数の偏光子の間に設けられ、前記伝搬方向に沿って配置された前記偏光子の透過軸と所定の角度をなす遅相軸を有する第１位相子と、
前記第１位相子と前記伝搬方向に沿って配置された前記偏光子との間に設けられ、略同一の位相差を前記入射光に与える第２位相子と
を有し、
前記複数の偏光子、前記第１位相子、および前記第２位相子により形成される光学素子はマトリクス上に複数配列され、
前記制御部は、前記検出部が検出したオブジェクトに対応づけて前記スペクトル情報格納部が格納しているスペクトルに応じて、前記入射光における所定の波長領域の光を複数の前記光学素子がそれぞれ透過すべく、前記複数の光学素子のそれぞれが有する前記第２位相子の遅相軸の角度を調整する
表示デバイス。
【請求項２】
前記制御部はさらに、前記検出部が検出したオブジェクトに対応づけて前記スペクトル情報格納部が格納しているスペクトルに応じて、前記複数の光学素子のそれぞれが有する前記第１位相子が前記入射光に与える位相差を調整する
請求項１に記載の表示デバイス。
【請求項３】
前記複数の偏光子は略同一の方向の透過軸を有する
請求項１または２に記載の表示デバイス。
【請求項４】
前記第２位相子は、１／２波長板である
請求項３に記載の表示デバイス。
【請求項５】
前記第１位相子は、前記偏光子の透過軸と４５度の角度をなす遅相軸を有する
請求項４に記載の表示デバイス。
【請求項６】
前記偏光子は、入射光の伝搬方向に沿って３以上配列されており、
前記第１位相子は、３以上の前記偏光子の間にそれぞれ設けられており、
前記第２位相子は、前記伝搬方向に沿って直後に配置された前記偏光子と前記第１位相子との間にそれぞれ設けられる
請求項５に記載の表示デバイス。
【請求項７】
前記制御部は、前記検出部が検出したオブジェクトに対応づけて前記スペクトル情報格納部が格納しているスペクトルに応じて、前記複数の光学素子のそれぞれが有する複数の前記第２位相子の遅相軸のそれぞれの角度を調整する
請求項６に記載の表示デバイス。
【請求項８】
前記制御部は、前記検出部が検出したオブジェクトに対応づけて前記スペクトル情報格納部が格納しているスペクトルに応じて、前記複数の光学素子のそれぞれが有する複数の前記第１位相子がそれぞれ前記入射光に与える位相差をさらに調整する
請求項７に記載の表示デバイス。
【請求項９】
前記制御部はさらに、前記検出部が検出したオブジェクトに対応づけて前記スペクトル情報格納部が格納しているスペクトルに応じて、前記複数の光学素子のそれぞれが有する前記複数の偏光子の光の偏光方向に対する光透過特性をさらに調整する
請求項１から８のいずれか一項に記載の表示デバイス。
【請求項１０】
前記制御部は、前記検出部が検出したオブジェクトに対応づけて前記スペクトル情報格納部が格納しているスペクトルに応じて、前記複数の光学素子のそれぞれが有する前記偏光子の透過軸と他の偏光子の透過軸とがなす角度を調整する
請求項９に記載の表示デバイス。
【請求項１１】
前記制御部は、前記検出部が検出したオブジェクトに対応づけて前記スペクトル情報格納部が格納しているスペクトルに応じて、前記複数の光学素子のそれぞれが有する前記複数の偏光子のうちの少なくともいずれかの偏光子の透過軸と前記入射光の伝搬方向とがなす角度を調整する
請求項９または１０に記載の表示デバイス。
【請求項１２】
前記制御部は、前記複数の光学素子のそれぞれが有する前記複数の偏光子のうちの少なくともいずれかの偏光子の消光比を、前記検出部が検出したオブジェクトに対応づけて前記スペクトル情報格納部が格納しているスペクトルに応じて決定される値より低い消光比にする
請求項９から１１のいずれか一項に記載の表示デバイス。
【請求項１３】
前記複数の偏光子の間に、光の偏光を解消する偏光解消素子が配列される
請求項１から１２のいずれか一項に記載の表示デバイス。
【請求項１４】
色フィルタと、
前記色フィルタへと入射する入射光を発光する光源と、
物体の画像を取得する画像取得部と、
前記画像に含まれる前記物体を示すオブジェクトを検出する検出部と、
オブジェクトに対応づけて、当該オブジェクトが示す物体からの光のスペクトルを格納するスペクトル情報格納部と、
前記検出部が検出したオブジェクトに対応づけて前記スペクトル情報格納部が格納しているスペクトルに応じて、前記色フィルタの分光透過率を制御する制御部と
を備え、
前記色フィルタは、
前記入射光の伝搬方向に沿って配列された複数の偏光子と、
前記複数の偏光子の間に設けられ、前記伝搬方向に沿って配置された前記偏光子の透過軸と所定の角度をなす遅相軸を有する第１位相子と
を有し、
前記複数の偏光子および前記第１位相子により形成される光学素子はマトリクス上に複数配列され、
前記制御部は、前記検出部が検出したオブジェクトに対応づけて前記スペクトル情報格納部が格納しているスペクトルに応じて、前記入射光における所定の波長領域の光を複数の前記光学素子がそれぞれ透過すべく、前記複数の光学素子のそれぞれが有する前記複数の偏光子の光の偏光方向に対する光透過特性を調整する
表示デバイス。
【請求項１５】
前記制御部は、前記検出部が検出したオブジェクトに対応づけて前記スペクトル情報格納部が格納しているスペクトルに応じて、前記複数の光学素子のそれぞれが有する前記偏光子の透過軸と他の偏光子の透過軸とがなす角度を調整する
請求項１４に記載の表示デバイス。
【請求項１６】
前記制御部は、前記検出部が検出したオブジェクトに対応づけて前記スペクトル情報格納部が格納しているスペクトルに応じて、前記複数の光学素子のそれぞれが有する前記複数の偏光子のうちの少なくともいずれかの偏光子の透過軸と前記入射光の伝搬方向とがなす角度を調整する
請求項１４または１５に記載の表示デバイス。
【請求項１７】
前記制御部は、前記複数の光学素子のそれぞれが有する前記複数の偏光子のうちの少なくともいずれかの偏光子の消光比を、前記検出部が検出したオブジェクトに対応づけて前記スペクトル情報格納部が格納しているスペクトルに応じて決定される値より低い消光比にする
請求項１４から１６のいずれか一項に記載の表示デバイス。
【請求項１８】
前記制御部は、前記検出部が検出したオブジェクトに対応づけて前記スペクトル情報格納部が格納しているスペクトルに応じて、前記複数の光学素子のそれぞれが有する前記第１位相子が前記入射光に与える位相差をさらに調整する
請求項１４から１７のいずれか一項に記載の表示デバイス。
【請求項１９】
前記複数の偏光子の間に、光の偏光を解消する偏光解消素子が配列される
請求項１４から１８のいずれか一項に記載の表示デバイス。
【発明の詳細な説明】
【技術分野】
【０００１】
本発明は、光学デバイスおよび光学システムに関する。本発明は、特に、光を透過する光学デバイスおよび当該光学デバイスを利用した光学システムに関する。
【背景技術】
【０００２】
強誘電性液晶物質を調整要素として用いる調整可能光学フィルタが知られている（例えば、特許文献１参照。）。また、液晶を用いた波長可変カラーフィルタが知られている（例えば、特許文献２参照。）。
【特許文献１】特許２９７１９４５号明細書
【特許文献２】特開２０００―２６７１２７号公報
【発明の開示】
【発明が解決しようとする課題】
【０００３】
しかしながら、上記特許文献に記載の技術によると、特定の波長域以外の波長領域の光は遮光されてしまう。このため、なだらかな分布を持つスペクトル等のように、望ましい任意のスペクトルの出射光を得ることができない。
【課題を解決するための手段】
【０００４】
上記課題を解決するために、本発明の第１の形態によると、光学デバイスであって、入射光の伝搬方向に沿って配列された複数の偏光子と、複数の偏光子の間に設けられ、伝搬方向に沿って配置された偏光子の透過軸と所定の角度をなす遅相軸を有する第１位相子と、第１位相子と伝搬方向に沿って配置された偏光子との間に設けられ、略同一の位相差を入射光に与える第２位相子とを備え、第２位相子の遅相軸の角度は、入射光における所定の波長領域の光を光学デバイスが透過すべく調整される。
【０００５】
本発明の第２の形態によると、光学デバイスであって、入射光の伝搬方向に沿って配列された複数の偏光子と、複数の偏光子の間に設けられ、伝搬方向に沿って配置された偏光子の透過軸と所定の角度をなす遅相軸を有する第１位相子とを備え、光の偏光方向に対する複数の偏光子の光透過特性は、入射光における所定の波長領域の光を光学デバイスが透過すべく調整される。
【０００６】
本発明の第３の形態によると、光学システムであって、光学デバイスと、物体の画像を取得する画像取得部と、画像に含まれる物体を示すオブジェクトを検出する検出部と、オブジェクトに対応づけて、当該オブジェクトが示す物体からの光のスペクトルを格納するスペクトル情報格納部と、検出部が検出したオブジェクトに対応づけてスペクトル情報格納部が格納しているスペクトルに応じて、光学デバイスの分光透過率を制御する制御部とを備え、光学デバイスは、入射光の伝搬方向に沿って配列された複数の偏光子と、複数の偏光子の間に設けられ、伝搬方向に沿って配置された偏光子の透過軸と所定の角度をなす遅相軸を有する第１位相子と、第１位相子と伝搬方向に沿って配置された偏光子との間に設けられ、略同一の位相差を入射光に与える第２位相子とを有し、制御部は、検出部が検出したオブジェクトに対応づけてスペクトル情報格納部が格納しているスペクトルに応じて、入射光における所定の波長領域の光を光学デバイスが透過すべく、第２位相子の遅相軸の角度を調整する。
【０００７】
本発明の第４の形態によると、光学システムであって、光学デバイスと、物体の画像を取得する画像取得部と、画像に含まれる物体を示すオブジェクトを検出する検出部と、オブジェクトに対応づけて、当該オブジェクトが示す物体からの光のスペクトルを格納するスペクトル情報格納部と、検出部が検出したオブジェクトに対応づけてスペクトル情報格納部が格納しているスペクトルに応じて、光学デバイスの分光透過率を制御する制御部とを備え、光学デバイスは、入射光の伝搬方向に沿って配列された複数の偏光子と、複数の偏光子の間に設けられ、伝搬方向に沿って配置された偏光子の透過軸と所定の角度をなす遅相軸を有する第１位相子と、入射光の伝搬方向に沿って配列された複数の偏光子と、複数の偏光子の間に設けられ、伝搬方向に沿って配置された偏光子の透過軸と所定の角度をなす遅相軸を有する第１位相子とを有し、制御部は、検出部が検出したオブジェクトに対応づけてスペクトル情報格納部が格納しているスペクトルに応じて、入射光における所定の波長領域の光を光学デバイスが透過すべく、光の偏光方向に対する複数の偏光子の光透過特性を調整する。
【０００８】
なお、上記の発明の概要は、本発明の必要な特徴の全てを列挙したものではない。また、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、一実施形態における光デバイス１００の一例を示す。本実施形態の光デバイス１００は、望ましいスペクトルの光を生成することを目的とする。光デバイス１００は、光学素子１０５および光源１５０を備える。光学素子１０５は、複数の偏光子１１０ａ、ｂ（以下、偏光子１１０と総称する。）と、複数の第１位相子１２１ａ、ｂ（以下、第１位相子１２１と総称する。）と、複数の第２位相子１２２ａ、ｂ（以下、第２位相子１２２と総称する。）とを有する。なお、光学素子１０５は、この発明における光学デバイスとして機能する。
【００１１】
光源１５０は、光学素子１０５へと入射する光を発光する。一例として、光源１５０は白色光を発光する。偏光子１１０は入射光の伝搬方向に沿って配列されている。具体的には、偏光子１１０は、光源１５０からの光が伝搬する伝搬方向に沿って配列されている。なお、光源１５０は、偏光子１１０ａの透過軸方向に偏光した光を含む光を発光する。例えば、光源１５０は、非偏光の光を発光してよい。また、光源１５０は、偏光子１１０ａの透過軸方向に偏光した光を発光してもよい。
【００１２】
第１位相子１２１は、複数の偏光子１１０の間に設けられている。なお、第１位相子１２１は、入射光の伝搬方向に沿って配列されている。そして、第１位相子１２１は、入射光の伝搬方向に沿って配置された偏光子１１０の透過軸と所定の角度をなす遅相軸を有する。例えば、第１位相子１２１ａおよび第１位相子１２１ｂの遅相軸は、偏光子１１０の透過軸に対してθ１の角度を有する。また、第１位相子１２１ａによるリターデーションをΔ１である場合に、第１位相子１２１ｂによるリターデーションはΔ１の整数倍（ｎΔ１）であってよい。なお、第１位相子１２１ｂによるリターデーションは、Δ１の整数倍に限らず、任意に調整された値をとることができる。
【００１３】
また、第２位相子１２２は、入射光の伝搬方向に沿って配置された偏光子１１０と第１位相子１２１との間に設けられている。なお、第２位相子１２２は、略同一の位相差を入射光に与える。ここでは、第２位相子１２２ａおよび第２位相子１２２ｂによるリターデーションはΔ２であるとする。また、第２位相子１２２ａの遅相軸は、偏光子１１０の透過軸に対してθ２の角度を有する。
【００１４】
このように、偏光子１１０、第１位相子１２１、第１位相子１２１は、入射光の伝搬方向に沿って配列されている。そして、第２位相子１２２の遅相軸の角度（θ２）は、入射光における所定の波長領域の光を光学素子１０５が透過すべく調整され得る。また、第１位相子１２１が入射光に与える位相差（例えば、Δ１）は、入射光に含まれる所定の波長領域の光を透過すべく、さらに調整され得る。なお、偏光子１１０は、互いに略同一の方向の透過軸を有している。一例として、第２位相子１２２は１／２波長板であってよい。また、第１位相子１２１は、偏光子１１０の透過軸と４５度の角度をなす遅相軸を有している（すなわち、θ１＝４５°）。
【００１５】
このように、偏光子１１０は、入射光の伝搬方向に沿って３つ配列されている。そして、第１位相子１２１は、３の偏光子１１０の間にそれぞれ設けられており、第２位相子１２２は、伝搬方向に沿って直後に配置された偏光子１１０と第１位相子１２１との間にそれぞれ設けられている。なお、偏光子１１０は、入射光の伝搬方向に沿って３以上配列されていてもよい。そして、第１位相子１２１は、３以上の偏光子１１０の間にそれぞれ設けられており、第２位相子１２２は、伝搬方向に沿って直後に配置された偏光子１１０と第１位相子１２１との間にそれぞれ設けられている。
【００１６】
第２位相子１２２の遅相軸のそれぞれの角度は、入射光に含まれる所定の波長領域の光を透過すべき透過量に応じて調整され得る。また、第１位相子１２１がそれぞれ入射光に与える位相差は、入射光に含まれる所定の波長領域の光を透過すべき透過量に応じて調整される。このようにして、光学素子１０５の分光透過率は、所定の値に調整され得る。
【００１７】
図２は、偏光子１１０ａ、第１位相子１２１ａ、第２位相子１２２ａ、および偏光子１１０ｂによって形成される１光学ユニットの分光透過率の一例を示す。１光学ユニットを通過した後の出射光のストークスパラメータ（Ｓ０，Ｓ１，Ｓ２，Ｓ３）は、以下の式で表される。なお、以下の式では、光学ユニットへの入射光のストークスパラメータを（１，０，０，０）としている。
【００１８】
【数１】
0004961581.tif 000002
【００１９】
本図のグラフは、第２位相子１２２ａがλ／２板でありθ２を８０°に固定した場合において、Δ１を１３７．５ｎｍの倍数ずつ増加させた場合に、上記の式により得られた出射光の強度から算出された分光透過率を示す。なお、ここでは、基準波長λは５５０ｎｍとする。
【００２０】
各分光透過率を示すグラフの上部に記載されたＲｅの値がリターデーションの値を示す。例えば、最も左上に位置するグラフはθ２＝８０°，Δ１＝０の場合の分光透過率を示しており、その右方のグラフはθ２＝８０°，Δ１＝１３７．５ｎｍの場合の分光透過率を示している。
【００２１】
図３は、θ２を６０°に固定した場合における１光学ユニットの分光透過率の一例を示す。本図のグラフは、図２の光学ユニットとθ２の値が異なる。また、図２と同様に、基準波長λは５５０ｎｍとする。
【００２２】
具体的には、本図のグラフは、第２位相子１２２ａがλ／２板でありθ２を６０°に固定して場合において、Δ１を１３７．５ｎｍの倍数ずつ増加させた場合に、上記の式により得られた出射光の強度から算出された分光透過率を示す。本図においても、各分光透過率を示すグラフの上部に記載されたＲｅの値がリターデーションの値を示す。例えば、最も左上に位置するグラフはθ２＝６０°，Δ１＝０の場合の分光透過率を示しており、その右方のグラフはθ２＝６０°，Δ１＝１３７．５ｎｍの場合の分光透過率を示している。
【００２３】
図４は、２の光学ユニットによる分光透過率の一例を示す。本図の実線は、図２において最も右上に位置するグラフが示す分光透過率（θ２＝８０°，Δ１＝４１２５．５ｎｍである場合の分光透過率）を持つ光学ユニットと、図３において最上列の左から３番目のグラフが示す分光透過率（θ２＝６０°，Δ１＝２７５ｎｍである場合の分光透過率）を持つ光学ユニットとが入射光の伝搬方向に直列に接続された光学素子１０５の分光透過率を示す。
【００２４】
なお、本図の破線は、分光透過率のスケールに合わせた動物の皮膚からの光の分光強度を示す。したがって、光デバイス１００によると、上記の分光透過率を持つ２つの光学ユニットを組み合わせて形成された光学デバイスに、光源１５０から非偏光な白色光を入射させると、動物の皮膚からの光のスペクトルを実質的に再現することができる。なお、光源１５０からの入射光の分光強度および偏光度に応じて、θ２およびΔ１の組み合わせを変えることによって、所定のスペクトルの光を再現することができることは言うまでもない。
【００２５】
なお、偏光子１１０のそれぞれの透過軸は異なる方向を有してもよい。例えば入射光の伝搬方向に連続する２つの偏光子１１０の少なくとも一部は、クロスニコルの関係にあってもよい。また、第２位相子１２２のリターデーションは０であるか、第２位相子１２２は設けられていなくてもよい。また、第１位相子１２１が入射光に与える位相差および偏光子１１０の透過軸の角度の少なくとも一方が、入射光における所定の波長領域の光を光学素子１０５が透過すべく調整されてもよい。
【００２６】
すなわち、上述した第２位相子１２２の角度調整に替えて、或いは当該角度調整に加えて、光の偏光方向に対する複数の偏光子１１０の光透過特性が、入射光における所定の波長領域の光を光学素子１０５が透過すべく調整されてよい。例えば、入射光の伝搬方向に連続して設けられた偏光子１１０の透過軸の相対角度が、直交および平行以外の角度をなしてよい。このように、偏光子１１０の透過軸と他の偏光子１１０の透過軸とがなす角度が、入射光における所定の波長領域の光を光学素子１０５が透過すべく調整されてよい。
【００２７】
他にも、複数の偏光子１１０のうちの少なくともいずれかの偏光子１１０の透過軸と入射光の伝搬方向とがなす角度が、入射光における所定の波長領域の光を光学素子１０５が透過すべく調整されてよい。例えば、複数の偏光子１１０のうちの少なくともいずれかの偏光子１１０の透過軸が、入射光における所定の波長領域の光を光学素子１０５が透過すべく、入射光の伝搬方向に垂直な面と異なる面内にあるよう調整されてよい。具体的には、１以上の偏光子１１０の透過軸の方向が入射光の進行方向と垂直以外の角度をなすべく、１以上の偏光子１１０の透過軸が入射光の進行方向に対して傾斜されてよい。
【００２８】
また、複数の偏光子１１０のうちの少なくともいずれかの偏光子１１０の消光比が、入射光における所定の波長領域の光を光学素子１０５が透過すべく、予め定められた値より低い消光比を有してもよい。例えば、１以上の偏光子１１０の消光比が１：１０未満であってよい。なお、予め定められた値とは、１：１０に限られず、光デバイス１００から出射すべき光のスペクトルに応じて決定される値であってよいことは言うまでもない。また、上述した第２位相子１２２の角度調整に替えて、或いは当該角度調整に加えて、偏光子１１０ａと偏光子１１０ｂとの間、または偏光子１１０ｂと偏光子１１０ｃとの間に、それら偏光子１１０の間を伝搬する光の偏光を少なくとも部分的に解消する偏光解消素子が、入射光における所定の波長領域の光を光学素子１０５が透過すべく配列されてもよい。
【００２９】
また、偏光子１１０、第１位相子１２１、および第２位相子１２２により形成される光学素子１０５がマトリクス上に複数配列されていてもよい。例えば、当該光学素子１０５が入射光の伝搬方向に垂直な平面上にマトリクス状に複数配列されて、１の光学デバイスが形成されてよい。このような複数の光学素子１０５により、２次元的に異なるスペクトルの光を再現することができる。
【００３０】
このように、光学素子１０５の分光透過率は自由に調整され得るので、撮像システム用の色フィルタ、あるいは表示デバイス用の色フィルタとして使用することができる。例えば、光学素子１０５は、観察光源に依存しない正確に色再現された画像が求められる医用システム、あるいはショッピングカタログ用の色フィルタとして使用することもできる。
【００３１】
図５は、光学システム５００の構成例を示す。光学システム５００は、図１から図４に関連して説明した光デバイス１００、画像取得部５１０、検出部５２０、スペクトル情報格納部５４０、および制御部５３０を有する。
【００３２】
画像取得部５１０は、物体の画像を取得する。画像としては、物体が撮像された撮像画像を例示することができる。検出部５２０は、画像に含まれる物体を示すオブジェクトを検出する。例えば、検出部５２０は、オブジェクトマッチング等によって、オブジェクトを検出することができる。
【００３３】
スペクトル情報格納部５４０は、オブジェクトに対応づけて、当該オブジェクトが示す物体からの光のスペクトルを格納している。例えば、スペクトル情報格納部５４０は、動物の皮膚を示すオブジェクトに対応づけて、動物の皮膚からの光のスペクトルを格納している。そして、制御部５３０は、検出部５２０が検出したオブジェクトに対応づけてスペクトル情報格納部５４０が格納しているスペクトルに応じて、光デバイス１００の分光透過率を制御する。具体的には、制御部５３０は、光デバイス１００の分光透過率を制御して、検出部５２０が検出したオブジェクトに対応づけてスペクトル情報格納部５４０が格納しているスペクトルの光を光デバイス１００から出射させる。
【００３４】
光デバイス１００の分光透過率は、図１から図４に関連して説明したように、θ２およびΔ１によって制御することができる。したがって、制御部５３０は、スペクトル情報格納部５４０が格納しているスペクトルの光が光デバイス１００から出射されるよう、θ２およびΔ１を制御する。
【００３５】
なお、第１位相子１２１は、電界によりリターデーションを制御することができる液晶素子であってよい。この場合、制御部５３０は、検出部５２０が検出したオブジェクトに対応づけてスペクトル情報格納部５４０が格納しているスペクトルに応じて、第１位相子１２１のリターデーションを電界により制御してよい。また、第２位相子１２２は、入射光の伝搬軸を中心に回転可能に設けられてよい。そして、制御部５３０は、検出部５２０が検出したオブジェクトに対応づけてスペクトル情報格納部５４０が格納しているスペクトルに応じて、第２位相子１２２を回転させることによって第２位相子１２２の遅相軸の角度を調整してよい。
【００３６】
すなわち、制御部５３０は、検出部５２０が検出したオブジェクトに対応づけてスペクトル情報格納部５４０が格納しているスペクトルに応じて、入射光における所定の波長領域の光を光学素子１０５が透過すべく、第２位相子１２２の遅相軸の角度を調整する。また、制御部５３０はさらに、検出部５２０が検出したオブジェクトに対応づけてスペクトル情報格納部５４０が格納しているスペクトルに応じて、入射光における所定の波長領域の光を光学素子１０５が透過すべく、第１位相子１２１が入射光に与える位相差を調整してもよい。
【００３７】
なお、上述したように、偏光子１１０の光透過特性を調整することができる場合には、制御部５３０は、検出部５２０が検出したオブジェクトに対応づけてスペクトル情報格納部５４０が格納しているスペクトルに応じて、入射光における所定の波長領域の光を光学素子１０５が透過すべく、光の偏光方向に対する複数の偏光子の光透過特性を調整してもよい。具体的には、制御部５３０は、偏光子１１０の透過軸と他の偏光子１１０の透過軸とがなす角度、複数の偏光子１１０のうちの少なくともいずれかの偏光子１１０の透過軸と入射光の伝搬方向とがなす角度、複数の偏光子１１０のうちの少なくともいずれかの偏光子１１０の消光比を調整してよい。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３９】
【図１】一実施形態における光デバイス１００の一例を示す図である。
【図２】偏光子１１０ａ、第１位相子１２１ａ、第２位相子１２２ａ、および偏光子１１０ｂによって形成される１光学ユニットの分光透過率の一例を示す図である。
【図３】θ２を６０°に固定した場合における１光学ユニットの分光透過率の一例を示す図である。
【図４】２の光学ユニットによる分光透過率の一例を示す図である。
【図５】光学システム５００の構成例を示す図である。
【符号の説明】
【００４０】
１００  光デバイス
１０５  光学素子
１１０  偏光子
１２１  第１位相子
１２２  第２位相子
１５０  光源
５００  光学システム
５１０  画像取得部
５２０  検出部
５３０  制御部
５４０  スペクトル情報格納部
【図１】
0004961581.tif 000003
【図２】
0004961581.tif 000004
【図３】
0004961581.tif 000005
【図４】
0004961581.tif 000006
【図５】
0004961581.tif 000007